(57)【要約】  【課題】  従来より長期にわたって形状を維持することができる鳥かごを提供する。  【解決手段】  鳥かご１０は、Ｌ字状の脚部２１と、脚部２１によって支持されて鳥の飼育空間１０ａの底面を形成する全体が傾斜した床部２２と、飼育空間１０ａの前後左右の面を形成する壁部のうち鳥かご１０の背面側の壁部を形成する背面壁部２３と、飼育空間１０ａの上面を形成する天井部２４と、弾性を有するワイヤである弾性ワイヤ４０とを備え、鳥の飼育空間１０ａの境界の少なくとも一部である左側面側の壁部１１、正面側の壁部１２及び右側面側の壁部が弾性ワイヤ４０によって形成されていることを特徴とする。【選択図】  図１
2008263900.tif 000002
【特許請求の範囲】
【請求項１】
弾性を有するワイヤである弾性ワイヤを備え、
鳥の飼育空間の境界の少なくとも一部が前記弾性ワイヤによって形成されていることを特徴とする鳥かご。
【請求項２】
前記弾性ワイヤは、複数本のワイヤで編まれていることを特徴とする請求項１に記載の鳥かご。
【請求項３】
前記弾性ワイヤによって形成されている前記境界において、前記鳥かごが設置された状態での鉛直方向のみに前記弾性ワイヤが延在していることを特徴とする請求項１又は請求項２に記載の鳥かご。
【請求項４】
前記弾性ワイヤを固定する固定部材を備え、
前記固定部材は、折り返された前記弾性ワイヤを通す複数のワイヤ用孔が並んで形成されていることを特徴とする請求項１から請求項３までの何れかに記載の鳥かご。
【請求項５】
前記固定部材を複数備え、
複数の前記固定部材は、一枚の金属の平板を折り曲げて形成されており、
前記弾性ワイヤは、複数の前記固定部材の間で複数回折り返されて前記境界の少なくとも一部を形成していることを特徴とする請求項４に記載の鳥かご。
【発明の詳細な説明】
【技術分野】
【０００１】
本発明は、鳥を飼育するための鳥かごに関するものである。
【背景技術】
【０００２】
従来の鳥かごは、針金や鉄格子を溶接することによって製造されている（例えば、特許文献１参照。）。
【特許文献１】特開平１１−２８５７５７号公報
【発明の開示】
【発明が解決しようとする課題】
【０００３】
従来の鳥かごにおいては、針金や鉄格子が衝撃で曲がると、鳥かご自体が変形したままになってしまうという問題がある。
【０００４】
そこで、本発明は、従来より長期にわたって形状を維持することができる鳥かごを提供することを目的とする。
【課題を解決するための手段】
【０００５】
本発明の鳥かごは、弾性を有するワイヤである弾性ワイヤを備え、鳥の飼育空間の境界の少なくとも一部が前記弾性ワイヤによって形成されていることを特徴とする。
【０００６】
この構成により、本発明の鳥かごは、弾性ワイヤによって形成された境界が衝撃で一時的に曲がったとしても、弾性ワイヤの弾性によって元の形状に戻るので、従来より長期にわたって形状を維持することができる。
【０００７】
また、本発明の鳥かごの前記弾性ワイヤは、複数本のワイヤで編まれていることが好ましい。
【０００８】
この構成により、本発明の鳥かごは、弾性ワイヤが複数本の細いワイヤで編まれているので、弾性ワイヤが１本の太いワイヤで構成されている場合と比較して、容易に曲げられることができる。しかも、本発明の鳥かごは、弾性ワイヤが複数本の細いワイヤで編まれているので、弾性ワイヤの任意の箇所において複数本のワイヤが別々の方向に向いており、弾性ワイヤが１本の太いワイヤで構成されている場合と比較して、曲げられた後に真っ直ぐに戻りやすい。
【０００９】
また、本発明の鳥かごは、前記弾性ワイヤによって形成されている前記境界において、前記鳥かごが設置された状態での鉛直方向のみに前記弾性ワイヤが延在していることが好ましい。
【００１０】
この構成により、本発明の鳥かごは、水平方向に弾性ワイヤが延在している場合と異なり、設置時に重力によって弾性ワイヤが弛むことを防止することができる。
【００１１】
また、本発明の鳥かごは、前記弾性ワイヤを固定する固定部材を備え、前記固定部材は、折り返された前記弾性ワイヤを通す複数のワイヤ用孔が並んで形成されていることが好ましい。
【００１２】
この構成により、本発明の鳥かごは、簡単な構成で弾性ワイヤによって境界が形成されることができる。
【００１３】
また、本発明の鳥かごは、前記固定部材を複数備え、複数の前記固定部材は、一枚の金属の平板を折り曲げて形成されており、前記弾性ワイヤは、複数の前記固定部材の間で複数回折り返されて前記境界の少なくとも一部を形成していることが好ましい。
【００１４】
この構成により、本発明の鳥かごは、複数の固定部材が別々の部品で形成されている場合と比較して、製造コストを抑えることができる。
【発明の効果】
【００１５】
本発明によれば、従来より長期にわたって形状を維持することができる鳥かごを提供することができる。
【発明を実施するための最良の形態】
【００１６】
以下、本発明の一実施の形態について、図面を用いて説明する。
【００１７】
まず、本実施の形態に係る鳥かごの構成について説明する。
【００１８】
図１は、本実施の形態に係る鳥かご１０の正面左側からの外観斜視図である。図２は、鳥かご１０の底面図である。図３は、鳥かご１０の側面断面図である。
【００１９】
図１〜図３に示すように、鳥かご１０は、Ｌ字状の脚部２１と、脚部２１によって支持されて鳥の飼育空間１０ａの境界である底面を形成する全体が傾斜した床部２２と、飼育空間１０ａの境界である前後左右の面を形成する壁部のうち鳥かご１０の背面側の壁部を形成する背面壁部２３と、飼育空間１０ａの境界である上面を形成する天井部２４と、鳥かご１０の左側面の一部に配置された扉３０と、鳥かご１０の境界である左側面側の壁部１１、正面側の壁部１２及び右側面側の壁部１３を形成する弾性を有するワイヤである弾性ワイヤ４０と、飼育空間１０ａで発生して床部２２の傾斜を伝わって落ちるゴミを受ける位置に配置されたゴミ受け部５１と、脚部２１、床部２２及び天井部２４の位置関係を保持するための円筒形の木製の支柱６０と、脚部２１の底面の四隅にのり付けされた滑り止め用の薄型の透明なゴムパッド７０とを有している。
【００２０】
なお、鳥かご１０は、主に、文鳥や十姉妹などの三角嘴のフィンチ類を飼育するためのものである。また、飼育空間１０ａで発生するゴミとしては、例えば、鳥の糞や羽根、籾殻などがある。
【００２１】
図４は、脚部２１、床部２２、背面壁部２３及び天井部２４の基になる金属の平板２０の平面図である。図４に示すように、脚部２１、床部２２、背面壁部２３及び天井部２４は、アルミニウムなどの金属の平板２０を折り曲げて形成されている。
【００２２】
図１〜図３に示すように、脚部２１は、ゴミ受け部５１を固定するネジ８１のネジ部を通すための２つのネジ用孔２１ａ（図４参照。）と、支柱６０を固定するネジ８２のネジ部を通すためのネジ用孔２１ｂとが形成されている。床部２２は、弾性ワイヤ４０を通すためのワイヤ用孔２２ａが左側面側、正面側及び右側面側の端の近傍に多数並んで形成されて弾性ワイヤ４０を固定する固定部材を構成しているとともに、支柱６０を通すための穴２２ｂが形成されている。床部２２の傾斜は、自然にゴミが落ちるように３０°〜４０°が好ましい。天井部２４は、弾性ワイヤ４０を通すためのワイヤ用孔２４ａが左側面側、正面側及び右側面側の端の近傍に多数並んで形成されて弾性ワイヤ４０を固定する固定部材を構成しているとともに、使用者によって鳥かご１０が持ち上げられるときに使用者の指が挿入されるための４つの持ち手穴２４ｂと、支柱６０を固定するネジ８２のネジ部を通すためのネジ用孔２４ｃとが形成されている。
【００２３】
扉３０は、枠３１と、枠３１の内部に上下に配置された複数の板３２と、複数の板３２を連結する紐３３とを有している。上面側及び底面側の枠３１には、弾性ワイヤ４０を通すためのワイヤ用孔３１ａが多数並んで形成されている。
【００２４】
図５は、弾性ワイヤ４０の正面図であって、弾性ワイヤ４０の一部を解いた図である。弾性ワイヤ４０は、図５に示すように、鉢を吊るすためなどに使用される園芸用のステンレスのワイヤ４０ａの複数本で編まれていると良い。
【００２５】
図６は、床部２２及び弾性ワイヤ４０の結合部分と、天井部２４及び弾性ワイヤ４０の結合部分との部分的に拡大した断面図である。弾性ワイヤ４０は、図６に示すように、ワイヤ用孔を通された後、折り返されて、隣のワイヤ用孔を通されている。そして、弾性ワイヤ４０は、図１に示すように、２本で扉３０とともに壁部１１、１２及び１３を形成している。即ち、２本のうち１本は、床部２２のワイヤ用孔２２ａのうち扉３０の底面側のワイヤ用孔３１ａに対向するワイヤ用孔以外のワイヤ用孔と、天井部２４のワイヤ用孔２４ａと、扉３０の上面側のワイヤ用孔３１ａとを通されて、床部２２、天井部２４及び扉３０の間で複数回折り返されて、壁部１１のうち扉３０より底面側の部分と、扉３０とを除いた部分と、壁部１２及び壁部１３とを形成している。２本のうち残り１本は、床部２２のワイヤ用孔２２ａのうち扉３０の底面側のワイヤ用孔３１ａに対向するワイヤ用孔と、扉３０の底面側のワイヤ用孔３１ａとを通されて、床部２２及び扉３０の間で複数回折り返されて、壁部１１のうち扉３０より底面側の部分を形成している。なお、弾性ワイヤ４０は、端部が金具４１によって固定されている。弾性ワイヤ４０は、壁部１１、１２及び１３において鳥かご１０が設置された状態での鉛直方向のみに延在している。
【００２６】
図７は、ゴミ受け部５１の基になる金属の平板５０の平面図である。図７に示すように、ゴミ受け部５１は、アルミニウムなどの金属の平板５０を折り曲げて形成されている。
【００２７】
図１〜図３に示すように、ゴミ受け部５１は、のりしろ部分５１ａに形成されたネジ用孔５１ｂ（図７参照。）を通されたネジ８１によって脚部２１に固定されており、鳥かご１０の正面側に配置されて上面が露出している。また、ゴミ受け部５１は、のりしろ部分５１ａの板厚だけ、脚部２１との間にスリット５１ｃが設けられている。スリット５１ｃは、ゴミ受け部５１の下部に開けられた水抜き用の穴を構成している。
【００２８】
支柱６０は、床部２２の穴２２ｂに通されて、上下の端部でネジ８２によって脚部２１及び天井部２４に固定されている。
【００２９】
次に、鳥かご１０の製造方法について説明する。
【００３０】
まず、平板２０及び平板５０は、プレス機によって打ち抜かれ、外形や穴などが形成される。
【００３１】
次いで、外形や穴などが形成された平板２０は、板金工によって立体的に折り曲げられて、脚部２１、床部２２、背面壁部２３及び天井部２４として形成される。同様に、平板５０は、ゴミ受け部５１として形成される。
【００３２】
次いで、脚部２１、床部２２、背面壁部２３、天井部２４、ゴミ受け部５１及び支柱６０は、互いに組みつけられてネジ８１及びネジ８２によって固定される。また、脚部２１の底面の四隅には、ゴムパッド７０がのり付けされる。
【００３３】
最後に、床部２２、天井部２４及び扉３０の間が、弾性ワイヤ４０によって編みあげられる。
【００３４】
次に、鳥かご１０の使用方法について説明する。
【００３５】
使用者は、吸水紙をゴミ受け部５１に充填して、吸水紙によってスリット５１ｃを塞いでおく。
【００３６】
飼育空間１０ａ内の鳥が糞をすると、糞は、床部２２の傾斜を伝わって落ちて、ゴミ受け部５１に溜まる。糞以外のゴミについても同様に、床部２２の傾斜を伝わって落ちて、ゴミ受け部５１に溜まる。
【００３７】
使用者は、ゴミ受け部５１を掃除機で掃除したり、ゴミ受け部５１に充填した吸水紙を交換したりすることによって、ゴミ受け部５１に溜まった糞などのゴミを簡単に清掃することができる。
【００３８】
また、使用者は、ゴミ受け部５１に充填した吸水紙を取り除いた状態で、バスルームのシャワーなどによって床部２２に水を流すことによって、床部２２及びゴミ受け部５１を一度に丸ごと洗い流すことができる。床部２２の傾斜を流れた水は、ゴミ受け部５１に入り、ゴミ受け部５１の水抜き用のスリット５１ｃから排出される。
【００３９】
以上に説明したように、鳥かご１０は、弾性ワイヤ４０によって形成された壁部１１、１２又は１３が衝撃で一時的に曲がったとしても、弾性ワイヤ４０の弾性によって元の形状に戻るので、従来より長期にわたって形状を維持することができる。
【００４０】
また、鳥かご１０は、２本の弾性ワイヤ４０によって壁部１１、１２又は１３が形成されているので、従来のように多数の針金や鉄格子によって形成されているものと比較して、部品点数を減らすことができる。
【００４１】
また、鳥かご１０は、２本の弾性ワイヤ４０によって壁部１１、１２又は１３が編まれているので、従来のように硬い針金や鉄格子を多数曲げて溶接しているものと比較して、容易に製造することができる。
【００４２】
また、鳥かご１０は、弾性ワイヤ４０によって壁部１１、１２又は１３が形成されているので、従来のように多数の針金や鉄格子によって形成されているものと比較して、新規な美観を提供することができる。
【００４３】
また、鳥かご１０は、弾性ワイヤ４０が複数本の細いワイヤ４０ａで編まれているので、弾性ワイヤ４０が１本の太いワイヤで構成されている場合と比較して、容易に曲げられることができる。しかも、鳥かご１０は、弾性ワイヤ４０が複数本の細いワイヤ４０ａで編まれているので、弾性ワイヤ４０の任意の箇所において複数本のワイヤ４０ａが別々の方向に向いており、弾性ワイヤ４０が１本の太いワイヤで構成されている場合と比較して、曲げられた後に真っ直ぐに戻りやすい。
【００４４】
また、鳥かご１０は、弾性ワイヤ４０によって形成されている壁部１１、１２及び１３において、鳥かご１０が設置された状態での鉛直方向のみに弾性ワイヤ４０が延在しているので、水平方向に弾性ワイヤ４０が延在している場合と異なり、設置時に重力によって弾性ワイヤ４０が弛むことを防止することができる。
【００４５】
また、鳥かご１０は、折り返された弾性ワイヤ４０を通す複数のワイヤ用孔２２ａ、２４ａがそれぞれ床部２２、天井部２４に並んで形成されているので、簡単な構成で弾性ワイヤ４０によって壁部１１、１２及び１３が形成されることができる。
【００４６】
また、鳥かご１０は、一枚の金属の平板２０を折り曲げて形成された床部２２及び天井部２４の間で弾性ワイヤ４０が複数回折り返されて壁部１１、１２及び１３を形成しているので、床部２２及び天井部２４が別々の部品で形成されている場合と比較して、製造コストを抑えることができる。
【図面の簡単な説明】
【００４７】
【図１】本発明の一実施の形態に係る鳥かごの正面左側からの外観斜視図である。
【図２】図１に示す鳥かごの底面図である。
【図３】図１に示す鳥かごの側面断面図である。
【図４】図１に示す鳥かごの脚部、床部、背面壁部及び天井部の基になる金属の平板の平面図である。
【図５】図１に示す鳥かごの弾性ワイヤの正面図であって、弾性ワイヤの一部を解いた図である。
【図６】図１に示す鳥かごの床部及び弾性ワイヤの結合部分と、天井部及び弾性ワイヤの結合部分との部分的に拡大した断面図である。
【図７】図１に示す鳥かごのゴミ受け部の基になる金属の平板の平面図である。
【符号の説明】
【００４８】
１０  鳥かご
１０ａ  飼育空間
１１、１２、１３  壁部（境界）
２０  平板
２２  床部（固定部材）
２２ａ  ワイヤ用孔
２４  天井部（固定部材）
２４ａ  ワイヤ用孔
４０  弾性ワイヤ
４０ａ  ワイヤ
【図１】
2008263900.tif 000003
【図２】
2008263900.tif 000004
【図３】
2008263900.tif 000005
【図４】
2008263900.tif 000006
【図５】
2008263900.tif 000007
【図６】
2008263900.tif 000008
【図７】
2008263900.tif 000009